(57)【要約】      （修正有）【課題】逆回転を防止しつつ永久に摩耗しないとともに、ノイズの発生を回避するパドル式レベルスイッチを提供する。【解決手段】制御ユニット２、駆動装置３及び羽根車を含み、駆動装置は、カバー３９、コイルセット、主要回転構造及び対偶磁場偏極ユニットを含む。カバー３９は、固定ピン３９１及び作動ピン３９２を備える。羽根車は駆動装置に従動する。制御ユニットはカバーに架設されるとともに、弾性部材２３及び２つのマイクロスイッチ２２が設けられている。羽根車が材料に接触していない場合、作動ピンが一方のマイクロスイッチを押圧することで駆動装置を起動し、主要回転構造が一方向の作用力の働きを受けて、羽根車を一方向にのみ回転可能とする。羽根車が材料に接触して抗力を受けると、駆動装置は固定ピンを軸として、全体を制御ユニットに対し反対方向に揺動させ、作動ピンが他方のマイクロスイッチを押圧して信号を出力する。【選択図】図２
0003224683.tif 000002
【実用新案登録請求の範囲】
【請求項１】
逆回転防止機能を備えたパドル式レベルスイッチであって、材料の状態を検知するとともに、
カバー、コイルセット、主要回転構造及び対偶磁場偏極ユニットを含み、該主要回転構造は磁性部材を備え、該対偶磁場偏極ユニットは該コイルセットにより発生する磁力線を部分的に遮蔽することで一方向の作用力を発生させ、該カバーは、該コイルセット、該主要回転構造及び該対偶磁場偏極ユニットを覆い、且つ、該カバーには固定ピン及び作動ピンが設けられている駆動装置、
外部から接続されて該主要回転構造に従動する羽根車、及び
枠体、２つのマイクロスイッチ及び弾性部材を含み、該枠体は該カバーに架設され、該２つのマイクロスイッチは該固定ピン及び該作動ピンに対応して該枠体に設けられ、該弾性部材は、該枠体と該作動ピンの間に弾性的に支持される制御ユニット、を含み、
該羽根車が材料に接触していない場合、該弾性部材は、該作動ピンが一方の該マイクロスイッチを押圧して該駆動装置を起動するよう該作動ピンを押動し、該磁性部材は、該一方向の作用力の働きを受けて該主要回転構造を一方向にのみ回転可能とし、
該羽根車が材料に接触して抗力を受けると、該駆動装置は該固定ピンを軸として、該駆動装置全体を該制御ユニットに対し該一方向とは反対方向に揺動させ、該揺動によって該作動ピンは、他方の該マイクロスイッチを押圧して信号を出力するパドル式レベルスイッチ。
【請求項２】
該主要回転構造は該コイルセット内に収容され、該対偶磁場偏極ユニットは、該主要回転構造に対応して配置されるとともに、該磁力線を部分的に遮蔽することで非対称の磁場を形成し、該非対称の磁場によって該一方向の作用力が発生する請求項１に記載の逆回転防止機能を備えたパドル式レベルスイッチ。
【請求項３】
該コイルセットは中空部を有するとともに、コイルと、互いに上下に対向する上フレーム及び下フレームを含み、該中空部は該上フレームと該下フレームの間を連通するとともに、該主要回転構造が収容され、該コイルは該中空部を囲繞し、該上フレーム及び該下フレームの外端面には位置決め部がそれぞれ備わっており、
該対偶磁場偏極ユニットは２つのシールド部材を含み、該２つのシールド部材は該主要回転構造の両端に対応するよう位置し、該２つのシールド部材は互いに間隔を置いて重ねられるとともに、互いに偏極角度をもってずらされており、各該シールド部材はそれぞれ各該位置決め部に位置決めされ、各該シールド部材はそれぞれ該コイルの両端を部分的に遮蔽する請求項２に記載の逆回転防止機能を備えたパドル式レベルスイッチ。
【請求項４】
更に、２つの磁極構造を含み、該カバーは該２つの磁極構造を覆い、該２つの磁極構造は非対称の複数の磁極を有し、該複数の磁極は該コイルセットの両端に配置されて磁力線を横切る請求項１に記載の逆回転防止機能を備えたパドル式レベルスイッチ。
【請求項５】
該２つの磁極構造は、該コイルセット、該主要回転構造及び該対偶磁場偏極ユニットを覆い、且つ、該複数の磁極は円形をなして互いを取り囲むとともに、該コイルセットと該主要回転構造の間に位置する請求項４に記載の逆回転防止機能を備えたパドル式レベルスイッチ。
【請求項６】
該複数の磁極は複数の第１磁極及び複数の第２磁極を含み、該２つの磁極構造は、それぞれ該対偶磁場偏極ユニットを隔てて該コイルセットの該両端にそれぞれ設けられ、該２つの磁極構造は、それぞれ該複数の第１磁極及び該複数の第２磁極を備え、該複数の第１磁極及び該複数の第２磁極の数は同じであり、該複数の第１磁極の間には複数の偏向角度が存在し、該複数の第２磁極の間にも複数の偏向角度が存在する請求項４に記載の逆回転防止機能を備えたパドル式レベルスイッチ。
【請求項７】
該２つの磁極構造はそれぞれ上カバー体及び底板体であり、該上カバー体の一面には、該底板体に向かう方向に複数の第１磁極が突設されており、該底板体の一面には、該上カバー体の該一面に向かう方向に複数の第２磁極が突設されており、各該第１磁極及び各該第２磁極は互い違いとなって互いを取り囲み、
該対偶磁場偏極ユニットは、該コイルセットに設けられる２つのシールド部材を含み、該複数の第１磁極の一部と該複数の第２磁極の一部はそれぞれ該２つのシールド部材に挿接される請求項５に記載の逆回転防止機能を備えたパドル式レベルスイッチ。
【請求項８】
更に、ギヤボックスと主軸を含み、該主軸は該ギヤボックスに固定され、該羽根車は該ギヤボックスを介して該主要回転構造に従動し、該主要回転構造は摺動可能に該主軸に覆接され、該磁性部材が該非対称の磁場に誘導されて磁気浮上の作用力を発生し、該磁気浮上の作用力によって、該主要回転構造が該主軸に対し摺動しながら浮上する請求項２に記載の逆回転防止機能を備えたパドル式レベルスイッチ。
【請求項９】
該主要回転構造は更に中空の回転軸を備え、該磁性部材は該中空の回転軸に設けられ、該中空の回転軸は摺動可能に該主軸に覆接され、該中空の回転軸の下端は該磁気浮上の作用力によって上方に向かって浮上する請求項８に記載の逆回転防止機能を備えたパドル式レベルスイッチ。
【請求項１０】
更に、２つの磁極構造を含み、該２つの磁極構造は該コイルセットの両端に設けられ、該主軸の下端及び上端は、それぞれ該ギヤボックス及び該２つの磁極構造の上磁極構造に固定され、該上磁極構造には、該主軸の該上端を取り囲む位置決め凹溝が開設されており、該中空の回転軸の上端は、上方に浮上することで該位置決め凹溝に進入して位置決めされる請求項９に記載の逆回転防止機能を備えたパドル式レベルスイッチ。
【請求項１１】
該位置決め凹溝は、該上磁極構造の一面に対し凹陥しており、該位置決め凹溝の凹陥深さは、該主軸の近傍から該主軸に対し離間する方向に向かって凹円弧状に徐々に深くなっている請求項１０に記載の逆回転防止機能を備えたパドル式レベルスイッチ。
【請求項１２】
該中空の回転軸の内周縁と該主軸の外周縁との間の一定の長さには隙間が形成されており、該隙間が該中空の回転軸の該上端に位置する請求項１０に記載の逆回転防止機能を備えたパドル式レベルスイッチ。
【考案の詳細な説明】
【技術分野】
【０００１】
本考案はパドル式レベルスイッチに関し、特に、逆回転防止機能を備えたパドル式レベルスイッチに関する。
【背景技術】
【０００２】
レベルスイッチはタンク内の材料管理に用いられ、タンク内の材料の有無及び貯蔵位置の高さを監視する。材料とは、例えば、飼料、穀物、岩石、木屑、ゴムといった一定の比重を有する各種材料であればよい。
【０００３】
レベルスイッチは、設計原理の違いによって、パドル式レベルスイッチ、音叉式レベルスイッチ及び静電容量式レベルスイッチ等に区分される。
【０００４】
従来のパドル式レベルスイッチは、主に駆動装置によって、動力を伝動軸経由で羽根車に伝達する。使用時にはレベルスイッチをタンクに固定し、羽根車が材料に接触していない場合には駆動装置が運転を維持するが、羽根車が材料に接触して抗力を受けると、駆動装置が運転を停止する。このようにして、タンク内の材料の貯蔵状態を検知するとの効果を得ている。しかし、材料が羽根車に対し抗力を生じて羽根車を逆回転させると、これらの抗力が更に伝動軸を通じて伝達され、駆動装置を逆回転させる結果、駆動装置が破損してしまう。
【０００５】
逆回転に起因してパドル式レベルスイッチが破損するとの問題を解決するために、従来の技術では、駆動装置の回動部と不動部の間に逆回転防止構造部材を増設することで、駆動装置の逆回転を防止している。
【０００６】
しかし、従来のパドル式レベルスイッチに増設される逆回転防止構造部材は、接触により阻止され逆回転を防止するため摩耗が問題となる。これらの逆回転防止構造部材は、長期間にわたる摩耗の末に阻止不可能となって逆回転を生じさせるため、レベルスイッチが誤作動し、誤った警報が作動する。
【０００７】
また、従来のパドル式レベルスイッチにおける駆動装置の主要回転構造は、回転軸心の上端及び下端と軸心位置決め片との間が締り過ぎている場合には回転が困難となり、故障しやすい。一方、緩すぎる場合には回転がぐらつき、固定の可聴周波数ノイズが発生しやすい。
【考案の概要】
【考案が解決しようとする課題】
【０００８】
本考案の第１の目的は、非接触方式で駆動装置を一方向にのみ回転可能とすることで、永久に摩耗することのない逆回転防止効果が得られる逆回転防止機能を備えたパドル式レベルスイッチを提供することである。
【０００９】
本考案の第２の目的は、磁気浮上設計によって主要回転構造の下端を上方に浮上可能とし、浮上に伴い主要回転構造の上端を位置決め凹溝に進入させて、ぐらつくことなく安定的に回転させることで、ノイズの発生を回避する逆回転防止機能を備えたパドル式レベルスイッチを提供することである。
【課題を解決するための手段】
【００１０】
上記の目的を達成すべく、本考案は、逆回転防止機能を備えたパドル式レベルスイッチであって、材料の状態を検知するとともに、カバー、コイルセット、主要回転構造及び対偶磁場偏極ユニットを含み、該主要回転構造は磁性部材を備え、該対偶磁場偏極ユニットは該コイルセットにより発生する磁力線を部分的に遮蔽することで一方向の作用力を発生させ、該カバーは、該コイルセット、該主要回転構造及び該対偶磁場偏極ユニットを覆い、且つ、該カバーには固定ピン及び作動ピンが設けられている駆動装置、外部から接続されて該主要回転構造に従動する羽根車、及び、枠体、２つのマイクロスイッチ及び弾性部材を含み、該枠体は該カバーに架設され、該２つのマイクロスイッチは該固定ピン及び該作動ピンに対応して該枠体に設けられ、該弾性部材は、該枠体と該作動ピンの間に弾性的に支持される制御ユニット、を含み、該羽根車が材料に接触していない場合、該弾性部材は、該作動ピンが一方の該マイクロスイッチを押圧して該駆動装置を起動するよう該作動ピンを押動し、該磁性部材は、該一方向の作用力の働きを受けて該主要回転構造を一方向にのみ回転可能とし、該羽根車が材料に接触して抗力を受けると、該駆動装置は該固定ピンを軸として、該駆動装置全体を該制御ユニットに対し該一方向とは反対方向に揺動させ、該揺動によって該作動ピンは、他方の該マイクロスイッチを押圧して信号を出力するパドル式レベルスイッチを提供する。
【考案の効果】
【００１１】
従来技術と比較して、本考案は以下の効果を有する。即ち、非接触方式で駆動装置を一方向にのみ回転可能とすることで逆回転を防止するため、永久に摩耗しないとの効果が得られる。また、磁気浮上式設計によって、主要回転構造における中空の回転軸の両端がいずれもぐらつくことなく安定的に回転可能となるため、ノイズの発生を回避するとの効果が得られる。
【図面の簡単な説明】
【００１２】
【図１】図１は、本考案におけるレベルスイッチの分解斜視図である。
【図２】図２は、本考案におけるレベルスイッチの制御ユニットと駆動装置との分解斜視図である。
【図３】図３は、本考案におけるレベルスイッチの駆動装置の分解斜視図である（カバーを含まない）。
【図４】図４は、本考案の図３に基づく細部の分解斜視図である。
【図５】図５は、本考案の図３に基づく組み立て後の断面図である。
【図６Ａ】図６Ａは、本考案の図５に基づく浮上前の部分拡大図である。
【図６Ｂ】図６Ｂは、本考案の図５に基づく浮上後の部分拡大図である。
【図７】図７は、本考案のレベルスイッチにおける２つのシールド部材を偏極角度をもってずらした場合の平面図である。
【図８Ａ】図８Ａは、本考案のレベルスイッチにおける２つのシールド部材が磁力線を遮蔽する際の図であり、シールド部材の短手方向を示している。
【図８Ｂ】図８Ｂは、本考案のレベルスイッチにおける２つのシールド部材が磁力線を遮蔽する際の図であり、シールド部材の長手方向を示している。
【図９Ａ】図９Ａは、本考案のレベルスイッチにおける複数の第１磁極の位置を示す図である。
【図９Ｂ】図９Ｂは、本考案のレベルスイッチにおける複数の第２磁極の位置を示す図である。
【図９Ｃ】図９Ｃは、本考案の図９Ａ及び図９Ｂに基づく各第１磁極と各第２磁極を互い違いとした場合の位置を示す図である。
【考案を実施するための形態】
【００１３】
本考案の詳細及び技術内容について、図面を組み合わせて以下の通り説明する。ただし、添付の図面は参考及び説明のために提供するにすぎず、本考案を限定するものではない。
【００１４】
図１に示すように、本考案は、材料の状態（材料の有無及び材料の高さを含む）を検知するための逆回転防止機能を備えたパドル式レベルスイッチを提供する。パドル式レベルスイッチは、主に、回転制御される羽根車５が材料に接触して回転が阻止されることで（タンク内に材料が存在すること、或いは、貯蔵材料が所定の高さに達したことを示す）、制御信号を出力する。
【００１５】
図１及び図２に示すように、パドル式レベルスイッチ（以下、レベルスイッチと略称）は、ハウジング１、制御ユニット２、駆動装置３及び複数の羽根を備える羽根車５を含む。
【００１６】
ハウジング１は、互いに組み合わせ可能な上ハウジングキャップ１１と下ハウジングベース１２を含み、制御ユニット２と駆動装置３がハウジング１内に設けられる。駆動装置３はカバー３９を含み、カバー３９に固定ピン３９１及び作動ピン３９２が突設されている。制御ユニット２は、枠体２１、２つのマイクロスイッチ２２及び弾性部材２３を含む。枠体２１は駆動装置３に架設される。２つのマイクロスイッチ２２は、固定ピン３９１及び作動ピン３９２に対応して枠体２１に設けられ、それぞれ駆動装置３の運転及び制御信号の出力を制御するために用いられる。弾性部材２３は、枠体２１と作動ピン３９２の間に弾性的に支持される。
【００１７】
そのため、羽根車５が材料に接触していない場合、弾性部材２３は、作動ピン３９２が一方のマイクロスイッチ２２を押圧して駆動装置３の運転を維持するよう制御すべく、作動ピン３９２を押動する。また、羽根車５が材料に接触して回転を阻止された場合、駆動装置３の回転動力によって、駆動装置３全体が固定ピン３９１を軸として制御ユニット２に対し一方向に揺動する。これに伴い、作動ピン３９２が他方のマイクロスイッチ２２を押圧することで、制御信号が出力される。
【００１８】
図３〜図５に示すように、駆動装置３は、更に、コイルセット３１、主要回転構造３２及び対偶磁場偏極ユニット３３を含み、好ましくは、２つの磁極構造３４，３５、主軸３６及びギヤボックス３７を更に含む。カバー３９は、駆動装置３のうちカバー３９以外のその他の部材（符号３１〜３７を含む）を覆う。羽根車５は、外部から駆動装置３に接続されて、主要回転構造３２に従動する。
【００１９】
コイルセット３１は、アンペールの法則に従って磁力線Ｌ（図８Ａ参照）を発生するとともに、中空部３１３を有する。主要回転構造３２は該中空部内に収容される。且つ、主要回転構造３２は、主要回転構造３２をコイルセット３１に対し回転可能とする磁性部材３２２を備える。対偶磁場偏極ユニット３３は、主要回転構造３２に対応して配置される。且つ、図８Ａ及び図８Ｂに示すように、対偶磁場偏極ユニット３３は、磁力線Ｌを部分的に遮蔽して非対称の磁場（符号を示さない）を形成する。この非対称の磁場によって、一方向の作用力が発生する。
【００２０】
これにより、磁性部材３２２が上記一方向の作用力の働きを受けて、主要回転構造３２を一方向にのみ回転可能とする。その結果、非接触方式で駆動装置３を一方向にのみ回転可能とする逆回転防止の目的が達成される。且つ、非接触方式であるため、永久に摩耗しないとの効果が得られる。羽根車５が材料に接触して抗力を受けると、駆動装置３は全体が一方向とは反対の方向に揺動する。
【００２１】
以下に、コイルセット３１、主要回転構造３２及び対偶磁場偏極ユニット３３について更に詳細に説明する。
【００２２】
対偶磁場偏極ユニット３３は、磁力線Ｌを遮蔽可能であって磁性を有さない２つのシールド部材３３１，３３２を含む。本実施例ではシールド部材について、金属片（例えば銅片等）を例に説明する。これら２つのシールド部材３３１，３３２は、主要回転構造３２の両端に対応するよう位置しており、本実施例では、それぞれ主要回転構造３２の上端及び下端に位置している。これら２つのシールド部材（以下、上シールド部材３３１及び下シールド部材３３２と称する）は、互いに間隔を置いて重ねられる。且つ、図７に示すように、偏極角度θでずらされている。なお、−４５度≦θ≦＋４５度とする。偏極角度θの正の角度又は負の角度の設計によって、主要回転構造３２が時計回りに回転するか反時計回りに回転するかが決定される。
【００２３】
主要回転構造３２は更に回転軸を含み、図５に示すように、前記磁性部材３２２が回転軸を囲繞してもよい。本実施例において、主要回転構造３２の回転軸は中空の回転軸３２１とすればよい。中空の回転軸３２１の下端部には駆動歯３２３が設けられている。
【００２４】
コイルセット３１は、コイル３１５（図５参照）と、互いに上下に対向する上フレーム３１１及び下フレーム３１２を含む。前記中空部３１３は上フレーム３１１と下フレーム３１２の間を連通しており、コイル３１５は中空部３１３を囲繞している。上フレーム３１１及び下フレーム３１２の外端面には位置決め部３１４がそれぞれ備わっている（図４及び図５参照）。上シールド部材３３１及び下シールド部材３３２はそれぞれ各位置決め部３１４に位置決めされて、中空部３１３の上端及び下端を遮蔽している。こうして、図７に示すように、上下のシールド部材３３１，３３２は、コイル３１５の上端及び下端をそれぞれ部分的に遮蔽している。換言すれば、コイル３１５にはシールド部材により遮蔽されない２つの露出部３１５１が形成されている。本実施例において、位置決め部３１４は嵌合溝とすればよく、上下のシールド部材３３１，３３２はそれぞれ各嵌合溝に一致するよう嵌め込まれる。
【００２５】
２つの磁極構造３４，３５はいずれも非対称の複数の磁極を有している。これらの磁極は、コイルセット３１の両端に配置されて磁力線Ｌを横切る。本実施例において、これらの磁極は磁力線Ｌを横切るようにコイルセット３１の上端及び下端に配置されている。これにより発生する回転力（前記一方向の作用力）が回転方向（前記一方向）に沿って徐々に増幅することで、回転を加速するとの効果が奏される。図５に示すように、これらの磁極は円形をなして互いを取り囲み、且つ、コイルセット３１の内周縁と主要回転構造３２の外周縁との間に位置している。
【００２６】
詳細には、これらの磁極は複数の第１磁極３４１及び複数の第２磁極３５１を含む。図５に示すように、前記２つの磁極構造３４，３５は、それぞれ上下のシールド部材３３１，３３２を隔ててコイルセット３１の上端及び下端にそれぞれ設けられる。これら２つの磁極構造（以下、上磁極構造３４及び下磁極構造３５と称する）は、それぞれ複数の第１磁極３４１及び複数の第２磁極３５１を備える。複数の第１磁極３４１及び複数の第２磁極３５１の数は同じである。図９Ａ及び図９Ｂに示すように、複数の第１磁極３４１の間には複数の偏向角度が存在し（図９Ａ参照）、複数の第２磁極３５１の間にも複数の偏向角度が存在する（図９Ｂ参照）。偏向角度をηとした場合、−４５度≦η≦＋４５度である。且つ、偏向角度ηは、前記対偶磁場偏極ユニット３３との組み合わせにより発生する一方向の作用力の方向となる。
【００２７】
図４に示すように、上磁極構造３４及び下磁極構造３５は、いずれも磁性を有する金属部材とすればよい。各第１磁極３４１及び各第２磁極３５１は、それぞれ上磁極構造３４及び下磁極構造３５から一体的に曲げ成形されるため、各第１磁極３４１及び各第２磁極３５１は、いずれも磁性を有する金属部材である。
【００２８】
好ましくは、上磁極構造３４及び下磁極構造３５は、それぞれ上カバー体及び底板体である。上カバー体と底板体は互いに組み合わされて、前記コイルセット３１、主要回転構造３２、対偶磁場偏極ユニット３３、主軸３６及びギヤボックス３７を覆うことが可能である。図４に示すように、各第１磁極３４１は、上カバー体の底面から底板体に向かう方向に突設されており、各第２磁極３５１は、底板体の上面から上カバー体の底面に向かう方向に突設されている。且つ、図９Ｃに示すように、各第１磁極３４１及び各第２磁極３５１は互い違いとなって互いを取り囲んでいる。
【００２９】
なお、図４、図５及び図７に示すように、上シールド部材３３１及び下シールド部材３３２には、それぞれ環状に周設される複数の上挿入孔３３１１及び環状に周設される複数の下挿入孔３３２１が開設されている。且つ、第１磁極３４１の数は上挿入孔３３１１の数よりも多く、第２磁極３５１の数は下挿入孔３３２１の数量よりも多い。これにより、上シールド部材３３１を、挿入孔３３１１によって選択的に複数の第１磁極３４１の一部に挿接するとともに、下シールド部材３３２を、挿入孔３３２１によって選択的に複数の第２磁極３５１の一部に挿接すれば、上下のシールド部材３３１，３３２を所望の偏極角度θで互いにずらすことが可能となる。
【００３０】
また、図３〜図５、図６Ａ及び図６Ｂに示すように、上下の磁極構造３４，３５は、それぞれコイルセット３１の上端及び下端に対応して設けられる。主軸３６の上端及び下端は、それぞれ上磁極構造３４及びギヤボックス３７に固定される。主要回転構造３２は、摺動可能に主軸３６に覆接される。主要回転構造３２の磁性部材３２２が前記非対称の磁場に誘導されて磁気浮上の作用力が発生し、この磁気浮上の作用力によって、主要回転構造３２が主軸３６に対し摺動しながら浮上する。本実施例において、主要回転構造３２は、中空の回転軸３２１によって摺動可能に主軸３６に覆接される。これにより、中空の回転軸３２１の下端が磁気浮上の作用力によって上方に浮上可能となるため、回転する磁力線の平均力によって、中空の回転軸３２１のぐらつきのない安定的な回転が維持されて、相対的にノイズの発生がなくなる。
【００３１】
好ましくは、上磁極構造３４の底面に、主軸３６の上端を取り囲む位置決め凹溝３４２が開設されている。図６Ｂに示すように、中空の回転軸３２１の上端は、上方に浮上することで位置決め凹溝３４２に進入及び位置決め可能となる。これにより、位置決め凹溝３４２内において、中空の回転軸３２１の上端に微小な許容公差を持たせることができる。この許容公差により、主要回転構造３２が磁力線Ｌに起因して上方に浮上する際に、位置決め凹溝３４２によって中空の回転軸３２１の上端をぐらつかないよう安定させられる。換言すれば、中空の回転軸３２１の上端と上磁極構造３４の間は、非常に精密な公差をもって係合しなくとも安定的な回転が可能であり、相対的にノイズの発生がなくなる。
【００３２】
これにより、駆動装置３が電気供給により回転を開始するよう制御されるだけで、自動的に磁気浮上の作用力が発生し、中空の回転軸３２１の下端を浮上させられる。且つ、これに伴って、中空の回転軸３２１の上端が自動的に位置決め凹溝３４２に進入して位置決めされる。また、供給される電気エネルギーによって磁気浮上の作用力の大きさが決定されるため、中空の回転軸３２１の上端及び下端は上磁極構造３４とギヤボックス３７の間でぐらつくことなく安定的に回転可能となる。
【００３３】
本実施例において、位置決め凹溝３４２は上磁極構造３４の底面に対し凹陥している。且つ、凹陥の深さは、主軸３６の付近から径方向に沿って主軸３６から離間する方向（即ち、内から外）に向かって凹円弧状に徐々に深くなっている。なお、径方向は主軸３６の直径と平行である。
【００３４】
また、図６Ａに示すように、中空の回転軸３２１の内周縁と主軸３６の外周縁との間の一定の長さには隙間Ｄが形成されている。且つ、この隙間Ｄは中空の回転軸３２１の上端に位置する。
【００３５】
なお、図４及び図５に示すように、ギヤボックス３７は、複数のギヤ３７３と、互いに組み合わせ可能なボックスカバー３７１及び固定ベース３７２を含む。複数のギヤ３７３は互いに噛合し、且つ、ボックスカバー３７１及び固定ベース３７２内に設けられている。複数のギヤ３７３の最後部のギヤには伝動軸３７４が更に接続されており、且つ、伝動軸３７４がギヤボックス３７から突出している。前記中空の回転軸３２１の下端はギヤボックス３７内に伸入し、駆動歯３２３を介して複数のギヤ３７３のうち最後部のギヤと噛合する。これにより、中空の回転軸３２１はギヤボックス３７を経由して伝動軸３７４を回転させ、伝動軸３７４はこれに連動して前記羽根車５を回転させる。
【００３６】
上述したように、本考案の逆回転防止機能を備えたパドル式レベルスイッチによれば、上記の使用目的を達成可能であるとともに、従来技術の欠点を解決可能である。よって、実用新案の出願要件を満たしていることから、特許法に基づき出願する。考案者の権利を保障すべく、精査のうえ本考案を権利化されたい。
【００３７】
以上は本考案の好ましい実施例にすぎず、これにより実用新案登録請求の範囲は限定されない。本考案の明細書及び図面の内容を利用してなされる等価の構造の変形は、いずれも本考案の権利範囲に含まれる。
【符号の説明】
【００３８】
１      ハウジング
１１    上ハウジングキャップ
１２    下ハウジングベース
２      制御ユニット
２１    枠体
２２    マイクロスイッチ
２３    弾性部材
３      駆動装置
３１    コイルセット
３１１  上フレーム
３１２  下フレーム
３１３  中空部
３１４  位置決め部
３１５  コイル
３１５１露出部
３２    主要回転構造
３２１  中空の回転軸
３２２  磁性部材
３２３  駆動歯
３３    対偶磁場偏極ユニット
３３１  上シールド部材
３３１１  上挿入孔
３３２    下シールド部材
３３２１  下挿入孔
３４      上磁極構造
３４１    第１磁極
３４２    位置決め凹溝
３５      下磁極構造
３５１    第２磁極
３６      主軸
３７      ギヤボックス
３７１    ボックスカバー
３７２    固定ベース
３７３    ギヤ
３７４    伝動軸
３９      カバー
３９１    固定ピン
３９２    作動ピン
５        羽根車
Ｌ        磁力線
Ｄ        隙間
θ        偏極角度
【図１】
0003224683.tif 000003
【図２】
0003224683.tif 000004
【図３】
0003224683.tif 000005
【図４】
0003224683.tif 000006
【図５】
0003224683.tif 000007
【図６Ａ】
0003224683.tif 000008
【図６Ｂ】
0003224683.tif 000009
【図７】
0003224683.tif 000010
【図８Ａ】
0003224683.tif 000011
【図８Ｂ】
0003224683.tif 000012
【図９Ａ】
0003224683.tif 000013
【図９Ｂ】
0003224683.tif 000014
【図９Ｃ】
0003224683.tif 000015